(57)【特許請求の範囲】
【請求項１】
上方が開放しており、一対の対向端壁（１２、１４）、一対の対向側壁（１５、１６）および底壁（１７）からなり、上記対向側壁間に延び、上記端壁にほぼ平行に配置され互いに或いは端壁から離間され、複数の各カートリッジ空洞に分割する複数の分離壁（１８、１９、２０、２１）と、上記各空洞内に配置されカミソリ刃カートリッジを保持する手段を有する、複数のカミソリ刃カートリッジ（Ｃ）を保持・分与する一体型容器において、上記保持手段は、各空洞内に設けられた一対の対向フランジ（３２、３２）からなり、各フランジは前記対向側壁の一方に隣接する１つの縁部と、上記側壁の内方に配置された自由縁部と、各フランジの上縁の近くに設けられた戻り止め（３５、３６）を有し、各フランジは、他の各空洞内の各対のフランジに対すると同様に隣接する分離壁及び端壁の両者に対して独立して可撓性を有するように、前記隣接する分離壁及び端壁から離間しており、各空洞内の一対の対向フランジが１つのカートリッジ（Ｃ）に弾性的に係合され、それによって１つのカートリッジが、分離壁から独立している一対の対向フランジ間、及び上記各空洞内において空洞に設けられた一対のフランジの戻り止めと底壁の間に保持されていることを特徴とする、一体型容器。
【請求項２】
各空洞内の保持手段は、２対の対向フランジ（３２、３３）からなり、各対のフランジはそれぞれ対向側壁（１５、１６）に隣接していることを特徴とする、請求項１記載の一体型容器。
【請求項３】
前記対のフランジの各フランジは前記底壁（１７）に連結された一縁部を有することを特徴とする、請求項１または２記載の一体型容器。
【請求項４】
前記対のフランジの各フランジは前記対向側壁の１つに連結された１縁部を有することを特徴とする、請求項１または２記載の一体型容器。
【請求項５】
前記保持手段は、さらにカートリッジを対のフランジ間に案内するため前記分離壁（１８、１８、２０、２１）及び端壁（１２、１４）に設けられた案内部材（４１、４３、４４）を有することを特徴とする、請求項１または２記載の一体型容器。
【請求項６】
前記保持手段は、さらに空洞内に配設されたカートリッジを案内または支持するように対向側壁にスペーサエレメント（３８、３９）を有することを特徴とする、請求項１乃至３のいずれかに記載の一体型容器。
【請求項７】
前記保持手段は、さらにカートリッジと底壁間に間隙を形成するように空洞内に配設されたカートリッジを支持するために上記底壁（１７）に形成された上方に突出する支持部材（３０、３１）を有することを特徴とする、請求項１、２、３または６記載の一体型容器。
【請求項８】
分離壁は対向側壁（１５、１６）間のディスペンサ幅の大部分を横切って延びていることを特徴とする、請求項１または２記載の一体型容器。
【請求項９】
前記分離壁は前記対向側壁（１５、１６）を互いに連結していることを特徴とする、請求項８記載の一体型容器。
【請求項１０】
フランジの戻り止め（３５、３６）はフランジの面から外方に延びていることを特徴とする、請求項１または２記載の一体型容器。
【請求項１１】
フランジの戻り止め（３５、３６）は、カートリッジハウジングを取り囲むクリップの位置においてカミソリ刃カートリッジ（Ｃ）に係合するように、対向側壁の内側に設けられていることを特徴とする、請求項１ないし３、または５ないし７のいずれかに記載の一体型容器。
【発明の詳細な説明】
本発明は、カミソリハンドルに着脱可能に結合される使い捨てカートリッジを使用する湿式ひげそりに関し、特に、並置された関係でカミソリハンドルに接続される向きを有し、ひげそり時に使用するために分与されるカートリッジを保持する容器に関する。
アプリルに発行された米国特許第４，７４２，９０９号において、本発明の主題であるタイプのひげそりカートリッジ保持ケーシング及び収納トレイが示されている。この発明は複数の個別のケーシングを有するトレイを有し、このケーシングは、安全カミソリハンドルと着脱可能に係合可能な１つの安全カートリッジユニットを保持するようになっている。各ケーシングにおける構造は、ケーシング内に保持されている間に刃が保護されるように突然はずれないようにカートリッジのヘッドユニットを保持する。カートリッジの各々はハンドルと係合するとき、ハンドルに固定する動きによってケーシングから引くことができ、ケーシングはケーシング内に保持される各カートリッジと共にトレイからスライド可能である。従って、このタイプの構成は、トレイ内に保持されるカートリッジの各々に１つづつ分かれたケーシングを有するトレイを有する。
上述した構造は、カミソリ刃のカートリッジの各々について分かれたケーシングの製造を有利に行うが、ケーシングを保持するトレイの製造工程に加えて多数の製造工程が必要であり、カミソリ刃のカートリッジディスペンサの費用に加えてケーシング及びトレイの別の材料が使用される。
従って、本発明の目的は、各カートリッジ内に収容された刃を保護し、カートリッジが突然はずれないように保持しながら、カミソリハンドルに取り付けるカートリッジにアクセスを行う構成を有する、カミソリ刃カートリッジを保持しそれを分与する一体の容器を提供することである。
本発明の目的は、製造が簡単で従来技術に比べて材料と製造コストを節減する複数のカミソリ刃カートリッジを保持しそれを分与する一体の容器を提供することである。
本発明の他の目的は、カミソリ保持装置または他のカミソリ取り扱い製品に容易に組み立て可能であり、複数のカミソリ刃カートリッジを保持しそれを分与する一体の部品の容器を提供することである。
説明を進める上で明らかになるであろう上述した目的及び他の目的は、上部で開放しており、一対の対向端壁と一対の対向側壁及び底壁とから形成され、複数のカミソリ刃カートリッジを保持し、それを分与する一体の容器を提供することによって達成されることは明らかである。対向側壁を相互に接続し、その対向側壁の間で伸びる装置は、容器を複数の個々のカートリッジの空洞に分割するために設けられ、他の装置が対向側壁及び分割装置の各々に間隔を置いてカミソリ刃のカートリッジを保持するために空洞の各々に配置されている。個々のカートリッジの複数の空洞に容器を分割する装置は、複数の分離した壁を有し、この壁は、端壁の各々にほぼ平行に配置されており、他の壁及び端壁から間隔を置いている。
カミソリ刃のカートリッジを空洞の各々に間隔を置いた関係で保持する装置は、一対のフランジを有し、各フランジは、１つの対向側壁に接続された１つの縁部と、内側に伸びる１つの自由縁とを有し、このフランジの各々は隣接した分離器の壁、すなわち、端壁から間隔を置いており、各カミソリ保持装置から間隔を置いている。もどり止めが各フランジの上縁に隣接して配置されており、戻り止めは容器のもどり止めと底壁との間にカミソリ刃のカートリッジを保持するためにその表面から外側に伸びている。
さらに一体の容器は側壁の間にカートリッジ刃のカートリッジを保持してそれから間隔を置くように保持する対向側壁の各々に取り付けられている各空洞に配置された一対のスペーサエレメントを有する。
また容器は、端壁に配置された装置と、カミソリ刃のカートリッジ保持装置に案内する分割装置とを有する。
好ましい実施例に比較して、また添付図面を参照して本発明の前述した他の特徴をさらに詳細に説明する。
第１図は、本発明によって構成され、カミソリ刃のカートリッジを保持し、それを分与する一体の容器を示す斜視図である。
第２図は、第１図の構造の詳細を示す平面図である。
第３図は、第１図及び第２図の構造を示す第２図の線ＩＩＩ−ＩＩＩに沿って切った側断面図である。
第４図は、第２図の線Ｖ−Ｖに沿って切った第１図乃至第３図の構造の側断面図である。
第５図は、第２図の線Ｖ−Ｖに沿って切った第１図乃至第４図の構造の側断面図である。
第６図は、カミソリ支持構造体に支持された第１図乃至第５図の構造の左側面図である。
第７図は、第１図乃至第６図の構造の部分の詳細図を示す右側面図である。
第８図は、第１図乃至第７図の構造の詳細を示す正面図である。
第９図は、カミソリ支持構造に係合する容器を示す第１図乃至第８図の構造の後面図である。
第１０図は、第１図乃至第９図の容器に保持されたカミソリ刃カートリッジを示す左側面図である。
第１１図乃至第１０図の容器のいくつかの空洞に保持された刃のカートリッジを示す断面図である。
第１２図は、容器からカートリッジを除去する前にカミソリ刃のカートリッジに係合したカミソリ刃のハンドルのカミソリ支持構造体に取り付けられた第１図乃至第１１図の容器を示す第１図と同様の斜視図である。
図面、特に第１図乃至第５図を参照すると、複数のカミソリ刃のカートリッジを保持し、それを分与する一体の容器１０が示されている。容器１０は、一対の端壁１２及び１４と、一対の対向側壁１５及び１６と、底壁１７とを有する。複数の分離壁１８，１９，２０及び２１の形の分割装置は、対向側壁１５及び１６の間に伸び端壁１２及び１６と共に複数の空洞２４，２５，２６，２７及び２８を形成し、その空洞の各々は、ユーザがカミソリハンドルに取り付けるカミソリ刃のカートリッジを保持するようになっている。
第２図、第３図、第４図及び第５図の断面に最もよく示すように空洞２４，２５，２６，２７及び２８の各々は、各空洞内に１つのカミソリ刃カートリッジを保持する装置を備えており、前記カートリッジは、端壁１２，１４、側壁１５，１６、底壁１７及び分離壁１８，１９，２０及び２１に支持されている。保持装置は、ほぼ空洞の各々の内部でほぼ対称的であり、空洞内でカートリッジの中心を定めるために有効なように各空洞内の各々の底壁１７に形成された一対の上方に突出した支持部材３０，３１を有する。
空洞２４，２５，２６，２７及び２８の各々には、側壁１５及び底壁１７に接続されると共に各空洞に内側に伸びている縁部を有する一対のフランジ３２と、側壁に接続され各空洞に反対方向に伸びている一対のフランジ３３が設けられている。第４図及び第５図に最もよく示すように、フランジ３２及び３３の各々は、底壁並びに側壁１５または１６のいずれかに接続された縁部を有し、上縁に隣接して配置され、フランジ３２または３３の表面から外側に伸びている戻り止め３５または３６を有する。フランジ３２またはフランジ３３の各々の間において、スペーサエレメント３８または３９が、側壁１５または１６に形成され、第４図及び第５図に示すように空洞２４，２５，２６，２７または２８に内側に伸びている。
スペーサエレメント３８及び３９は、カミソリ刃のカートリッジを保持位置に案内する目的で各空洞に下方に内側に傾斜している上縁を有する。空洞２４，２５，２６，２７及び２８の各々は、分離壁１８，１９，２０または２１の各々の上縁に隣接して配置されたガイド部材４１の形の各保持装置にカミソリ刃カートリッジを案内する装置と、端壁１２の上面に隣接して形成された案内部材４３と、上縁に隣接して配置され、端壁１４の内面に隣接して配置された案内部材４４とを有する。
第６図乃至第１２図及び第１０図及び第１１図を参照すると、通常、空洞２４，２５，２６，２７に、または第１０図の空洞２８に、または第１１図の空洞２４に保持されるように示されているカミソリ刃のカートリッジＣが示されている。各場合において、カミソリ刃のカートリッジＣは、容器の壁によっては支持されずカートリッジに接触する戻り止め３４及び３５を有するフランジ３２及び３３によって形成されたカートリッジ保持装置内に保持されており、スペーサエレメント３８及び３９によって側方の移動に対して支持され、また支持部材３０及び３１によって底壁１７上に支持されている。従って、各空洞２５，２６，２７及び２８内にカミソリ刃のカートリッジＣを保持する装置は容器１０の壁とは独立しており、これによってカミソリ刃のカートリッジＣを保持し、それを分与するために必要な可撓性を維持しながら第１２図に示したカミソリハンドル内の支持体に取り付けるのに適した剛性を有する材料から容器を製造することができる。
第１２図に示すように、一体の容器１０は、通常、カミソリハンドル支持部材５０の下側に保持される。カミソリハンドル自身は、公知の技術による手段（図示せず）によって支持部材の反対側に支持される。第１２図において、カートリッジＣの各々は、各空洞２５，２６，２７及び２８から除去され、残ったカートリッジは、空洞に保持され、容器１０は支持部材５０の凹部部分に固定される。端壁１４は、支持部材５０に設けられた空洞内に圧力ばめされるようにわずかに外側に湾曲した形状としてある。
容器１０からカートリッジＣを除去する際に、第１２図に示すようにカミソリハンドルＨは、ハンドルのカートリッジを受ける端部をカートリッジに小さな圧力で押すことによってカミソリ刃のカートリッジＣに取り付けられ、ハンドルは上述した米国特許第４，７４２，９０９号に説明されるような方法で容器１０からカートリッジＣを取り出すように単に前後に揺動される。
前述した内容から明らかなように、本発明によれば、分割されたカートリッジ保持装置にカートリッジを保持する間にその構造の形状及び完全性を保持する剛性の壁を有する容器を製造することができ、カートリッジ保持装置は、カートリッジを容器内にしっかりと保持し、使用時にカートリッジを容器から解放することができる可撓性を有するように構成され、カートリッジ保持部が容器の壁の構造とは独立している。
【図１】
0003786692.tif 000002
【図２】
0003786692.tif 000003
【図３】
0003786692.tif 000004
【図４】
0003786692.tif 000005
【図５】
0003786692.tif 000006
【図６】
0003786692.tif 000007
【図７】
0003786692.tif 000008
【図８】
0003786692.tif 000009
【図９】
0003786692.tif 000010
【図１０】
0003786692.tif 000011
【図１１】
0003786692.tif 000012
【図１２】
0003786692.tif 000013